(57)【特許請求の範囲】
【請求項１】
着脱式の静止画撮影手段、および動画撮影手段を有する眼科検査装置において、
前記静止画撮影手段、または動画撮影手段の撮影画像をモニタ表示するモニタ手段と、
装着された前記静止画撮影手段が撮影方式の異なる静止画撮影手段のいずれであるかを検出する検出手段と、
前記静止画撮影手段による撮影期間を除く期間において前記動画撮影手段により撮影された動画を前記モニタ手段に表示させ、前記検出手段により電子画像として静止画を撮影する撮影方式の静止画撮影手段の装着が検出されている場合は、当該静止画撮影手段による撮影直後に当該静止画撮影手段により電子画像として撮影された静止画を前記モニタ手段に自動表示させる制御手段を有することを特徴とする眼科検査装置。
【請求項２】
前記静止画撮影手段および動画撮影手段が共有する光路が撮影光路として選択されている場合に前記自動表示が有効化されることを特徴とする請求項１に記載の眼科検査装置。
【請求項３】
前記自動表示により前記静止画撮影手段により電子画像として撮影された静止画を前記モニタ手段に所定表示時間の間表示させた後、モニタ表示を前記動画撮影手段により撮影された動画の表示に復帰させることを特徴とする請求項１に記載の眼科検査装置。
【請求項４】
モニタ表示を前記動画撮影手段により撮影された動画の表示に復帰させるまでの所定表示時間を設定する設定手段を設けたことを特徴とする請求項３に記載の眼科検査装置。
【発明の詳細な説明】
【０００１】
【発明の属する技術分野】
本発明は着脱式の静止画撮影手段、および動画撮影手段を有する眼科検査装置に関するものである。
【０００２】
【従来の技術】
従来より、眼底カメラのような眼科検査装置において、銀塩フィルムに記録を行なう撮影手段に加え、電子的に画像記録を行なう電子画像撮影手段を有するものが知られており、さらに、電子画像撮影手段として動画記録手段および静止画記録手段の双方を設けた装置が知られている。
【０００３】
上記のうち、電子画像撮影手段の撮影画像（動画／静止画）はハードディスクなどの記録媒体に記録される他、検査中、必要に応じてＣＲＴ／ＬＣＤディスプレイなどから成るモニタに表示できるようにするのが普通である。
【０００４】
また、電子画像撮影手段は着脱交換式のものもあり、特に、電子画像撮影手段として動画記録手段および静止画記録手段の双方を設けた構成においては、静止画系の撮像ユニットをフィルム撮影のためのユニット、たとえばインスタントカメラユニット（ポラロイド（商標名）ユニットなど）に交換できるようにしたものがある。インスタントカメラユニットは、最も迅速かつ簡便に撮影画像のハードコピーを得る手段として多くの需要がある。
【０００５】
【発明が解決しようとする課題】
電子画像撮影手段を設ける場合には、上述のようにモニタを設ける必要があるが、従来の眼科検査装置では、このモニタの表示画像の切り換えに関する構成が適切でないものが多かった。
【０００６】
たとえば、従来では、モニタへの入力画像の切り換えを全て手動で行なうような構成が主流であったが、このような構成では、操作が面倒な上、操作ミスから所望の画像が表示されない、たとえば静止画を表示すべきタイミングにおいて動画が表示され続ける、などの問題があった。また、銀塩フィルムへの記録のみを行なうような運用もあり得るが、モニタ入力の切り換えを完全手動で行なうような構成では、不要な期間も操作ミスにより不適当な画像（たとえば電子画像撮影手段で撮影した別の静止画など）がモニタ表示されてしまう、などの問題がある。
【０００７】
このように、従来のモニタ表示を手動切り換えするシステムでは、検者は誤りなくモニタ表示の切り換え操作を行なう必要があり、その操作自体や操作ミスによる誤まった表示によって本来の検査に集中することが難しい、という問題がある。特に、静止画系の撮像ユニットは、上記のようにインスタントカメラユニットに置換可能な場合があり、このように複雑なシステムでは誤りなくモニタ表示の切り換え操作を行なうことはより困難になる。
【０００８】
本発明の課題は、上記の問題を解決し、電子撮影画像を表示するモニタの表示を適切に自動切り換えし、面倒な操作を必要とすることなく、適切な画像をモニタで表示できるようにすることにある。
【０００９】
【課題を解決するための手段】
上記の課題を解決するため、本発明によれば、着脱式の静止画撮影手段、および動画撮影手段を有する眼科検査装置において、前記静止画撮影手段、または動画撮影手段の撮影画像をモニタ表示するモニタ手段と、装着された前記静止画撮影手段が撮影方式の異なる静止画撮影手段のいずれであるかを検出する検出手段と、前記静止画撮影手段による撮影期間を除く期間において前記動画撮影手段により撮影された動画を前記モニタ手段に表示させ、前記検出手段により電子画像として静止画を撮影する撮影方式の静止画撮影手段の装着が検出されている場合は、当該静止画撮影手段による撮影直後に当該静止画撮影手段により電子画像として撮影された静止画を前記モニタ手段に自動表示させる制御手段を有する構成を採用した。
【００１０】
【発明の実施の形態】
以下、図を参照して本発明の実施の形態を説明する。
【００１１】
図１に本発明を採用した眼底カメラを示す。図１の眼底カメラは、赤外光観察／撮影、あるいは（赤外）蛍光観察／撮影に対応し、さらに銀塩フィルムに記録を行なう撮影手段に加え、静止画および動画のための電子画像撮影手段を有し、さらに静止画のための電子画像撮影手段はインスタントカメラユニットに交換できるよう構成されている。
【００１２】
図１において、観察用光源であるランプＬＡがミラーＭ１の中心に配置され、このランプＬＡから発せられた光は、コンデンサーレンズ１に向かう。
【００１３】
ランプＬＡとコンデンサーレンズ１の間には、赤外フィルタＦ０が挿入できるようになっている。赤外フィルタＦ０の挿脱は赤外光観察を行なうか、可視光観察を行なうかを切り換えるモード設定手段４３により切り換えられる。
【００１４】
コンデンサーレンズ１の前方には撮影用光源であるストロボＳＲが配置される。
【００１５】
ランプＬＡまたはストロボＳＲの光は、コンデンサーレンズ２、フィルタＦ１を経て、全反射ミラーＭ２によって反射され、続いてレンズ３、リング状照明を形成するためのリングスリット４、さらにリレーレンズ５、対物レンズの反射を除去するための黒点板６、リレーレンズ７、中心に穴の開いた穴あき全反射ミラーＭ３で反射されてから対物レンズ８を経て、被検眼Ｅの瞳Ｅｐより眼底Ｅｒに入射される。
【００１６】
フィルタＦ１は（赤外）蛍光撮影用のエキサイターフィルタで、（赤外）蛍光撮影の時にのみ光路内に挿入され、通常の眼底撮影の時には光路内から離脱されている。フィルタＦ１の挿脱はカラー撮影（通常撮影）か蛍光撮影かを切り換えるモード設定手段４４により切り換えられる。
【００１７】
眼底Ｅｒからの反射光は再び瞳Ｅｐから対物レンズ８を介して受光され、穴あき全反射ミラーＭ３の穴を介してフィルタＦ２、合焦レンズ９、結像レンズ１０を通過し、リターンミラーＭ４に入射する。
【００１８】
上記のフィルタＦ２は（赤外）蛍光撮影のためのバリアーフィルタである。フィルタＦ２の挿脱はフィルタＦ１と同様にカラー撮影（通常撮影）か蛍光撮影かを切り換えるモード設定手段４４により切り換えられる。
【００１９】
リターンミラーＭ４、および後述のミラー２２は不図示の駆動手段を介して光路から外せるように構成されており、これらのミラーの初期位置は図１では実線により示されている。
【００２０】
フィルム（銀塩フィルム：３５ｍｍなどの所定のフォーマットを有する）１１に撮影する場合には、リターンミラーＭ４が光路から外され、撮影用光源であるストロボＳＲを発光させ、この照明光によりフィルム１１に眼底像が撮影される。
【００２１】
リターンミラーＭ４に入射した光は、上方の光路（上光路）に向かう。リターンミラーＭ４の直後の上光路には、検者が画像観察を行なうためのミラーや接眼レンズを配置することもできる。
【００２２】
リターンミラーＭ４に続く上光路には視野絞り２０、フィールドレンズ２１が配置され、その後方にミラー２２が配置される。
【００２３】
ミラー２２は動画記録系と、静止画記録系の光路を切り換えるものである。静止画記録系を用いる場合にはミラー２２は光路から離脱される。動画記録系で撮影を行う場合には、ミラー２２が光路内に挿入される。
【００２４】
リターンミラーＭ４およびミラー２２の位置はスイッチ５２を介して後述の制御部４０により切り換えられる。図１では、便宜上スイッチ５２は単一のスイッチシンボルにより図示しているが、実際にはスイッチ５２はリターンミラーＭ４およびミラー２２の位置を別々に制御できる独立したスイッチ素子から構成される。
【００２５】
動画撮影／記録手段はレンズ２５、ＣＣＤカメラ（白黒カメラ）２６、動画記録装置２７から構成される。
【００２６】
静止画記録系はレンズ２３、ＣＣＤカメラ（カラーカメラ）２４から成るＣＣＤユニット３１か、インスタントカメラユニット３２のいずれかが用いられる。ＣＣＤユニット３１が用いられる時は、静止画記録装置２８により撮影画像が記録される。
【００２７】
静止画記録系にＣＣＤユニット３１またはインスタントカメラユニット３２のいずれが装着されているかはリミットスイッチや光学センサ、あるいはコネクタ電極などを利用したセンサ４５により検出される。
【００２８】
動画記録装置２７、および静止画記録装置２８の構成は任意であるが、ＪＰＥＧ／ＭＰＥＧ変換などを行なうビデオカードやハードディスクユニットなどの記録媒体から構成される。
【００２９】
動画記録装置２７は、ハードディスクユニットなどの記録媒体への記録を行なわない状態においても入力動画データをモニタに送ることができ、これにより検査期間中はリアルタイム画像をモニタ２９に表示させることができる。赤外蛍光撮影など、ハードディスクユニットなどの記録媒体への記録が必要な場合は所定の撮影期間の間、同記録媒体へのデータ記録が有効化される。
【００３０】
動画記録装置２７および静止画記録装置２８の画像はモニタ２９に表示させることができる。モニタ２９に動画、静止画のいずれを表示させるかはスイッチ５１を介してモニタ切換手段５０により切り換えられる。モニタ２９はＣＲＴディスプレイやＬＣＤディスプレイから構成される。
【００３１】
図１において符号４０は装置全体の動作を制御する制御部で、ここでは制御部４０の構成部材としてＣＰＵ４１および撮影プログラム４２を図示してある。
【００３２】
撮影プログラム４２は、不図示のＲＯＭなどの記憶素子、あるいはハードディスクなどの記憶装置に格納されており、ＲＯＭ上で直接、あるいは不図示のＲＡＭなどに展開されてＣＰＵ４１により実行される。撮影プログラム４２の主要部については後述する。
【００３３】
ＣＰＵ４１は前述の赤外光観察／可視光観察を切り換えるモード設定手段４３、およびカラー撮影（通常撮影）／蛍光撮影を切り換えるモード設定手段４４の設定情報を入力し、装置の動作を制御する。モード設定手段４３、４４は、任意のユーザーインターフェース手段、たとえば操作パネル上のスイッチやファンクションキー、あるいはモニタ２９上のメニューやボタンと協働するマウスなどのポインティングデバイス（いずれも不図示）により構成することができ、これらモード設定手段４３、４４により検者は所望の動作モードを指定する。
【００３４】
また、モード設定手段４３はフィルタＦ０、モード設定手段４４はフィルタＦ１、Ｆ２の挿脱（選択）状態を制御するハードウェアを含み、上述のユーザーインターフェースからの入力により決定されたモードに応じてこれらフィルタの挿脱（選択）状態を制御する。モード設定手段４３、４４は全てハードウェア回路から構成することもできるが、その任意の一部をＣＰＵ４１の制御プログラム（撮影プログラム４２）により実装することができる。
【００３５】
リターンミラーＭ４およびミラー２２の位置は、スイッチ５２を介して撮影プログラム４２（あるいはマニュアル操作）により制御されるが、その時のリターンミラーＭ４およびミラー２２による光路選択状態はセンサ４７により検出される。センサ４７はスイッチ５２の制御信号を入力するか、あるいはリターンミラーＭ４およびミラー２２の位置を検出するリミットスイッチや光学センサなどを用いてリターンミラーＭ４およびミラー２２の光路選択状態を検出し、撮影手段決定手段４８に伝達する。
【００３６】
また、センサ４５が出力するＣＣＤユニット３１またはインスタントカメラユニット３２のいずれが装着されているかを示す静止画撮像手段検出信号４６も撮影手段決定手段４８に入力される。
【００３７】
撮影手段決定手段４８は、ハードウェア回路、またはＣＰＵ４１のプログラム（撮影プログラム４２）の一部として構成することができ、本実施形態では少なくとも
（１）リターンミラーＭ４およびミラー２２による光路選択制御
（２）静止画撮像手段（ＣＣＤユニット３１／インスタントカメラユニット３２）の装着状態
を検出し、モニタ切換手段５０およびスイッチ５１を介してモニタ２９の入力信号を切り換える。
【００３８】
モニタ切換手段５０もハードウェア回路またはＣＰＵ４１のプログラム（撮影プログラム４２）の一部として構成することができる。モニタ２９の入力を完全手動により制御するモードを設ける場合、モニタ切換手段５０にはモニタ２９の入力信号を選択するためのスイッチなどのユーザーインターフェース手段を設けておく。
【００３９】
本実施形態では、撮影時、全自動制御モードないし半自動制御モードによりモニタ２９の表示を切り換える。全自動制御では、撮影時、モニタ２９の入力を一方から他方に切り換えた後、自動的に復帰させる制御を行なう。半自動制御では、モニタ２９の入力を一方から他方に切り換えた後、復帰は手動操作により行なう。
【００４０】
このようなモニタ表示の制御に表示時間設定手段４９を用いる。表示時間設定手段４９に有効な表示時間データを設定した場合は、全自動制御モードとなり、その表示時間データがモニタ２９の入力を一方から他方に切り換えた後、自動復帰させるまでの表示時間（以下の実施形態では静止画表示時間）として用いられる。半自動制御モードは、表示時間設定手段４９に無限大の時間値（メモリ上の表現は任意であり、マイナスの時間値などの所定のフォーマットを用いる）あるいは無効な時間値を設定することにより選択される。また、表示時間設定手段４９に表示時間０を設定した場合は、撮影後、モニタ２９の入力を一方から他方に切り換える制御を行なわないようにする。
【００４１】
表示時間設定手段４９に対する設定は、検者が適当なユーザーインターフェースを介して行なえるようにしておく。また、全自動ないし半自動制御のいずれの制御モードを用いるかは、表示時間設定手段４９の表示時間により制御する以外に、検者がスイッチなどのユーザーインターフェース手段を介して設定できるようにしておいてもよい。
【００４２】
次に以上の構成における動作につき図２を参照して説明する。図２はＣＰＵ４１が実行する撮影プログラム４２の主要部、特にモニタ２９の表示（入力）制御を中心に示したものである。
【００４３】
図２のステップＳ１は、撮影期間を除く待機期間中の動作状態を示している。この状態では、スイッチ５１は図１の下側に切り換えられており、動画記録装置２７から出力される動画画像データがモニタ２９に入力され、表示されている。検者は撮影前のアライメントなどの動作をこの動画画像を利用しつつ実施する。
【００４４】
撮影制御の態様はステップＳ２のリターンミラーＭ４による撮影光路選択状態の判定、およびステップＳ３の静止画撮像手段（ＣＣＤユニット３１／インスタントカメラユニット３２）の判定に基づき制御される。
【００４５】
なお、ステップＳ２のタイミングでは、実際にリターンミラーＭ４は作動させず、検者の設定操作、あるいは撮影プログラム４２に応じて、リターンミラーＭ４を後述の撮影制御においてどの撮影光路選択状態に制御するか、だけを判定する。
【００４６】
また、ステップＳ１からＳ２へは、撮影を開始する所定の操作、たとえばシャッタボタン（不図示）の操作などに応じて移行する。たとえば、図２では便宜上ステップＳ４〜、Ｓ８〜、Ｓ１２でそれぞれ開始される撮影動作の先頭でシャッタボタンのオン操作を含めてあるが、このシャッタ操作の検出によりステップＳ１からＳ２への移行を行なってもよい。
【００４７】
ステップＳ２では、センサ４７および撮影手段決定手段４８を用いて、リターンミラーＭ４による撮影光路選択状態の判定を行なう。ここではリターンミラーＭ４により上光路が選択されている、つまり電子画像を撮影する場合はステップＳ３へ、下光路が選択されている、つまりフィルム１１による撮影を行なう場合はステップＳ４に移行する。
【００４８】
フィルム１１による撮影を行なう場合、ステップＳ４のシャッタオン操作に続いてステップＳ５では、フィルム１１による撮影を行なうべくリターンミラーＭ４を図１の実線の位置からはね上げ、下光路を選択する。
【００４９】
ステップＳ６では、ストロボＳＲを発光させ、ステップＳ７でリターンミラーＭ４を図１の実線の位置に復帰させ、撮影が終了する。このフィルム１１による撮影の際、モニタ２９の入力は、リターンミラーＭ４がはね上げられている期間の間ブランクとなるが、リターンミラーＭ４が復帰するとステップＳ１と同じ動画表示に戻る。
【００５０】
一方、電子画像を撮影する場合はステップＳ３において、ＣＣＤユニット３１が装着されているか否かが判定される。ＣＣＤユニット３１が装着されていない場合はステップＳ８へ、ＣＣＤユニット３１が装着されている場合はステップＳ１２に移行する。
【００５１】
ＣＣＤユニット３１が装着されていない、つまりインスタントカメラユニット３２が装着されている場合、ステップＳ８のシャッタオン操作に続いてステップＳ９において、ミラー２２を図１の１点鎖線の位置に移動させ（リターンミラーＭ４は図１の実線の初期位置のまま）、ステップＳ１０でストロボＳＲを発光させ、ステップＳ１１でミラー２２を図１の実線の位置に復帰させ、撮影が終了する。このインスタントカメラユニット３２による撮影の際、モニタ２９の入力は、ミラー２２がはね上げられている期間の間ブランクとなるが、ミラー２２が復帰するとステップＳ１と同じ動画表示に戻る。
【００５２】
一方、ＣＣＤユニット３１が装着されている場合は、ステップＳ１２以降の制御において、モニタ表示の自動切り換えを行なう。ここでは、モニタ２９の動画表示を自動的にＣＣＤユニット３１で撮影した静止画の表示に切り換える。全自動制御モードの場合は動画表示への復帰も自動で行ない、半自動制御モードの場合は動画表示への復帰は手動で行なう。
【００５３】
まず、ステップＳ１２のシャッタオン操作が行なわれると、ステップＳ１３でミラー２２を図１の１点鎖線の位置に移動させ（リターンミラーＭ４は図１の実線の初期位置のまま）、ステップＳ１４でストロボＳＲを発光させ、ステップＳ１５でＣＣＤユニット３１で撮影した静止画を静止画記録装置２８に取り込み、ステップＳ１６でミラー２２を図１の実線の位置に復帰させる。
【００５４】
ステップＳ１６に続く動作は、ステップＳ１７で表示時間設定手段４９の設定状態を判定することにより選択される。
【００５５】
ステップＳ１７では、表示時間設定手段４９に設定された表示時間データを判定し、その表示時間値が
・０（静止画表示無し：静止画表示時間０の意）
・無効データ（たとえば無限大データなど：静止画表示を続行するの意）
・上記以外の有効データ（たとえば正の時間値）
のいずれであるかを判定する。なお、表示時間設定手段４９を構成するメモリ上での無効時間値（無限大データなど）のデータフォーマットはフルビット値やマイナスの時間値など任意である。
【００５６】
そして、表示時間設定手段４９に設定された表示時間データが０であった場合は、そのままステップＳ１に復帰する（静止画の自動表示無し）。
【００５７】
また、ステップＳ１７で、表示時間設定手段４９に設定された表示時間データが無効データ（無限大を示す所定フォーマットのデータ、マイナスの時間値など）の場合は、ステップＳ２２〜Ｓ２４の半自動制御モードの動作を行ない、表示時間設定手段４９に設定された表示時間データがそれ以外の有効データ（たとえば正の時間値）であった場合はステップＳ１８〜Ｓ２１の全自動制御モードの動作を行なう。
【００５８】
ステップＳ１８〜Ｓ２１の全自動制御モードでは、まずステップＳ１８でモニタ切換手段５０、スイッチ５１を切り換えてモニタ２９に静止画記録装置２８の静止画画像データを入力し、ステップＳ１９において、今撮影した（ステップＳ１５で取り込んだ）静止画を表示させる。
【００５９】
ステップＳ２２〜Ｓ２４の半自動制御モードでも、静止画の表示までの動作は同様で、ステップＳ２２でモニタ切換手段５０、スイッチ５１を切り換えてモニタ２９に静止画記録装置２８の静止画画像データを入力し、ステップＳ２３において、今撮影した（ステップＳ１５で取り込んだ）静止画を表示させる。
【００６０】
全自動制御モードと半自動制御モードの違いは、その後の動画モニタ表示への復帰を表示時間設定手段４９の設定に基づき自動的に行なうか、あるいは手動で行なうかである。
【００６１】
すなわち、全自動制御モードでは、ステップＳ１９の後、ステップＳ２０において表示時間設定手段４９に設定されている表示時間データに対応する時間だけ待機した後、ステップＳ２１において自動的にモニタ２９の入力を動画記録装置２７側に復帰させる。ステップＳ２０の静止画表示時間の計時には、タイマハードウェアやＣＰＵ４１のタイマソフトウェアを用いればよい。
【００６２】
一方、半自動制御モードでは、ステップＳ２３の後、ステップＳ２４において検者の手動による切り換え操作を待ち、この切り換え操作に応じてモニタ２９の入力を動画記録装置２７側に復帰させる。
【００６３】
このようにして、全自動制御モードにおいては、撮影後、モニタ２９は動画表示から電子撮影された静止画表示に自動的に切り換えられ、表示時間設定手段４９に設定されている表示時間の間この静止画表示を続行し、その後、自動的に動画表示に復帰する。
【００６４】
また、半自動制御モードにおいては、撮影後、モニタ２９は動画表示から電子撮影された静止画表示に自動的に切り換えられ、その後、検者の明示的な手動操作に応じて動画表示に復帰する。
【００６５】
上記の全／半自動制御モードにおいては、検者は特にモニタ表示の切り換え操作を行なわなくても、撮影後、直ちに今撮影した静止画をモニタ２９で確認することができる。そして、全自動制御モードにおいては、モニタ表示の切り換え操作を行なわなくても再び所定時間後に動画表示に復帰するため、スムーズに検査作業を行なうことができる。また、半自動制御モードにおいては、復帰操作を行なうまでは動画表示に復帰しないため、納得がゆくまで撮影した静止画をモニタ２９で確認することができる。
【００６６】
また、ステップＳ４〜ステップＳ７（フィルム１１による撮影）、あるいはステップＳ８〜Ｓ１１（インスタントカメラユニット３２による撮影）の期間では、自動的に動画をモニタ表示することができる。
【００６７】
以上のように、本実施形態によれば、検者は面倒なモニタ表示（モニタ入力信号）の切り換え操作を行なわなくても、モニタ２９には適切な入力信号が自動的に入力され、モニタ２９で適切な表示を行なわせることができる。
【００６８】
まず、フィルム１１あるいはインスタントカメラユニット３２による撮影の場合は、特に切り換え操作を行なわなくてもリターンミラーＭ４のはね上げ期間を除いて常時動画をモニタすることができ、従来のように不適当な画像（他の静止画など）が表示されてしまう問題がない。
【００６９】
さらに、静止画撮像手段としてＣＣＤユニット３１／インスタントカメラユニット３２のいずれを装着したかに応じて、特に切り換え操作を行なわなくても適切なモニタ表示の切り換え制御が行なわれる。
【００７０】
すなわち、静止画撮像手段としてインスタントカメラユニット３２を装着した場合の動作はフィルム１１による撮影の場合と同様の動画モニタ表示となるが、静止画撮像手段としてＣＣＤユニット３１を装着した場合は、静止画撮影直後に自動的に（明示的な操作の必要なく）ＣＣＤユニット３１で撮影した静止画をモニタ２９に表示させることができる。
【００７１】
さらに、静止画撮像手段としてＣＣＤユニット３１を装着した場合は、静止画へモニタ表示を切り換えた後の動作として全自動制御モード、半自動制御モード、あるいは静止画モニタ表示無し、のいずれかの態様を選択することができ、全自動制御モードにおいては、モニタ表示の切り換え操作を行なわなくても再び所定時間後に動画表示に復帰するため、スムーズに検査作業を行なうことができる。
【００７２】
また、半自動制御モードにおいては、復帰操作を行なうまでは動画表示に復帰しないため、納得がゆくまで撮影した静止画をモニタ２９で確認することができる。全自動制御／半自動制御モード／静止画モニタ表示無しは検者が好みに応じて、あるいは検査作業の都合に応じて選択することができる。
【００７３】
上記の全自動制御モード、半自動制御モード、あるいは静止画モニタ無しの制御態様は、表示時間設定手段４９の表示時間設定により容易に選択することができる。たとえば、表示時間設定手段４９に表示時間として０を設定すれば静止画モニタ無しの制御を行ない、無限大（あるいはマイナスの時間値などの無効データでもよい）などの時間値を設定すれば半自動制御モードとし、それ以外の有効データを時間値として設定すれば全自動制御モードを行なう。
【００７４】
なお、（赤外）蛍光撮影などにおいては、所定のインターバル時間を狭んで複数枚の静止画を自動的に撮影するような連続撮影プログラムが考えられるが、このような連続撮影においては、撮影インターバル時間よりも表示時間設定手段４９に設定される静止画表示時間、あるいは実際の静止画表示時間が長くならないように適宜制御する必要がある。このために、たとえば、表示時間設定手段４９の設定操作において、撮影インターバル時間よりも長い静止画表示時間が入力された場合はその旨警告したり、あるいは強制的に静止画表示時間が撮影インターバル時間よりも短かくなるように補正するような制御が考えられる。また、ＣＣＤユニット３１を用いて連続撮影を行なう場合は、表示時間設定手段４９の設定を無視して、順次撮影した静止画を次の静止画データが入力されるまで表示し続け、所定枚数の静止画を連続撮影し終った時に動画表示に復帰させるようにしてもよい。
【００７５】
【発明の効果】
以上の説明から明らかなように、本発明によれば、静止画撮影手段、または動画撮影手段の撮影画像をモニタ表示するモニタ手段と、装着された静止画撮影手段が撮影方式の異なる静止画撮影手段のいずれであるかを検出する検出手段と、静止画撮影手段による撮影期間を除く期間において動画撮影手段により撮影された動画をモニタ手段に表示させ、検出手段により電子画像として静止画を撮影する撮影方式の静止画撮影手段の装着が検出されている場合は、当該静止画撮影手段による撮影直後に当該静止画撮影手段により電子画像として撮影された静止画をモニタ手段に自動表示させる制御手段を有する構成を採用しているので、電子撮影画像を表示するモニタの表示を適切に自動切り換えし、面倒な操作を必要とすることなく、適切な画像をモニタで表示できる優れた眼科検査装置を提供することができる。
【図面の簡単な説明】
【図１】本発明を採用した眼科検査装置の構成を示した説明図である。
【図２】図１の制御部の撮影プログラムの主要部を示したフローチャート図である。
【符号の説明】
１  コンデンサーレンズ
２  コンデンサーレンズ
８  対物レンズ
９  合焦レンズ
１０  結像レンズ
１１  フィルム
２０  視野絞り
２１  フィールドレンズ
２２  ミラー
２３  レンズ
２４、２６  ＣＣＤカメラ（カラーカメラ）
２５  レンズ
２７  動画記録装置
２８  静止画記録装置
２９  モニタ
３１  ＣＣＤユニット
３２  インスタントカメラユニット
４０  制御部
４１  ＣＰＵ
４２  撮影プログラム
４３、４４  モード設定手段
４５  センサ
４６  静止画撮像手段検出信号
４７  センサ
４８  撮影手段決定手段
４９  表示時間設定手段
５０  モニタ切換手段
５１、５２  スイッチ
Ｅ  被検眼
ＬＡ  ランプ
Ｍ４  リターンミラー
ＳＲ  ストロボ
【図１】
0003987760.tif 000002
【図２】
0003987760.tif 000003